(57)【要約】      （修正有）【課題】清潔ブラシ構造を提供する。【解決手段】円柱状で、中央に、駆動装置が組み立てられる受け口１１があるキャリア１と、複数の清潔豆２１がそれぞれ、双方向螺旋に当該キャリアの表面に配列され、当該キャリアの中心に位置する清潔豆が、一様でない間隔で、ある基準線に沿って配列されて、複数の当該キャリアの中心から両端の外側へ、異なる方向に螺旋する双方向螺旋が形成され、当該清潔豆が、当該キャリアを囲んで中心から両端の外側へ延びる二つのリング状螺旋曲線通路２２、２３が形成される双方向螺旋式清潔ユニット２と、が含まれ、当該駆動装置によって、当該キャリアが連動されて、当該清潔豆で、電子部品を清潔する時、当該キャリアに付着した液体や清潔剤が、当該リング状螺旋曲線通路の複数の螺旋接線の方向に排出される。【選択図】図２
0003225191.tif 000002
【実用新案登録請求の範囲】
【請求項１】
円柱状で、中央に、駆動装置が組み立てられる受け口があるキャリアと、
複数の清潔豆がそれぞれ、双方向螺旋に当該キャリアの表面に配列され、当該キャリアの中心に位置する清潔豆が、一様でない間隔で、ある基準線に沿って配列されて、複数の当該キャリアの中心から両端の外側へ、異なる方向に螺旋する双方向螺旋が形成され、当該らの清潔豆が、当該キャリアを囲んで中心から両端の外側へ延びる二つのリング状螺旋曲線通路が形成される双方向螺旋式清潔ユニットと、が含まれ、
当該駆動装置によって、当該キャリアが連動されて、当該らの清潔豆で、電子部品を清潔する時、当該キャリアに付着した液体や清潔剤が、当該リング状螺旋曲線通路の複数の螺旋接線の方向に排出される、
ことを特徴とする清潔ブラシ構造。
【請求項２】
当該清潔豆の端面には、それぞれ、中心へ凹む凹円弧部があり、各凹円弧部の曲度が、70%〜99%の範囲内にある、ことを特徴とする請求項１に記載される清潔ブラシ構造。
【請求項３】
当該キャリアと、当該双方向螺旋式清潔ユニットは、軟質フォームで、発泡して一体成型される、ことを特徴とする請求項１に記載される清潔ブラシ構造。
【請求項４】
当該清潔豆は、円柱体である、ことを特徴とする請求項１に記載される清潔ブラシ構造。
【請求項５】
当該清潔豆は、多辺体である、ことを特徴とする請求項１に記載される清潔ブラシ構造。
【請求項６】
当該清潔豆は、円柱体や多辺体である、ことを特徴とする請求項１に記載される清潔ブラシ構造。
【請求項７】
当該キャリアは、円柱状であり、その中央に、受け口があり、当該双方向螺旋式清潔ユニットが、当該キャリアの外側縁に配置される、ことを特徴とする請求項１に記載される清潔ブラシ構造。
【請求項８】
当該らの清潔豆は、当該キャリアの表面から外へ、所定の距離に突出する、ことを特徴とする請求項１に記載される清潔ブラシ構造。
【請求項９】
当該の基準線は、一つの直線であり、また、当該キャリアの軸方向が、当該基準線に垂直する、ことを特徴とする請求項１に記載される清潔ブラシ構造。
【考案の詳細な説明】
【技術分野】
【０００１】
本考案は、清潔ブラシ構造に関し、特に、掃除する時、双螺旋によって、よごれを、中心から両端の外側へ押し出すように、指向性の清潔効率が得られ、また、水流が、有効的に、散布されるものに関する。
【背景技術】
【０００２】
一般の精密電子部品（例えば、シリコンウエハやハードディスク、半導体及びCPUチップ）に、対する清潔構造には、例えば、中華民国専利第419401号の「清潔用スポンジ・ロール」があり、それは、弾性を有するポリビニールアセタール系多孔質体スポンジから、構成されて、その側部の表面に、多数の突出が配置され、それらの突出の頂部を回転させながら、被清潔体の被清潔面を接触させることにより、被清潔体を清潔し、また、それらの突出は、行列に配列され、各突出の頂部が、高平滑度の表層によって形成され、これにより、必要とする駆動装置を利用して、表面に配列された多数の突出で、精密電子部品を清潔する効果が得られる。
【０００３】
また、他の中華民国専利第I286096号の「転動可能の台座において、単一多孔パッドを作成する方法と材料」の従来のものは、内表面と外表面を有する転動可能の台座と、当該台座の少なくとも一部の外表面を覆い、基材から、材料を除去する多孔パッド材料と、が含まれ、当該多孔パッド材料と当該台座とが結合されて、当該多孔パッド材料の表面に行列に配列された当該突出物が、当該多孔パッド材料の表面に、正確に位置づけられ、これにより、必要とする駆動装置を利用して、当該突出物で、精密電子部品を清潔する効果が得られる。
【０００４】
更に他の、中華民国専利第M362051号の「清潔構造」と第201347862号の「凹面団粒スポンジブラシ」は、キャリア/ブラシと、それぞれ、当該キャリア/ブラシの表面に、行列に配列される多数の清潔ユニット/団粒と、が含まれ、各清潔ユニット/団粒の端面に、それぞれ、凹円弧部/凹面表面があり、これにより、各清潔ユニット/団粒は、その端面の凹円弧部/凹面表面により、接触面が大きくなることにより、清潔効率がよく、よごれの除去率が高くなる効果が、得られる。
【０００５】
上記の、従来の「清潔用スポンジ・ロール」や「転動可能の台座において、単一多孔パッドを作成する方法と材料」、「清潔構造」及び「凹面団粒スポンジブラシ」は、精密電子部品を清潔することに、適用できるが、当該「清潔用スポンジ・ロール」の突出は、行列に配列されて、突出の頂部が、高平滑度の表層によって形成され、また、当該突出の頂部が、平面であるため、そして、当該「転動可能の台座において、単一多孔パッドを作成する方法と材料」の突出物も、成形された後、平面であり、また、行列に配列されるため、上記の両者で清潔する時、有効的に、不整面の精密電子部品に接触できず、そして、当該「清潔構造」や「凹面団粒スポンジブラシ」は、その清潔ユニット/団粒の端面が、凹円弧部/凹面表面に形成され、有効的に、不整面の精密電子部品に接触できるが、その清潔ユニット/団粒が成形された後、行列に配列されるため、上記の四者は、清潔する時、容易に、指向性なしに粒子（particle）が、四散するから、粒子を、指向性的に除去できないだけでなく、粒子が、清潔構造と精密電子部品との間に滞在して、精密電子部品に傷つく恐れがある。
【０００６】
また、本考案出願者は、上記従来技術に対して、中華民国専利第M576921号の「清潔ブラシ構造」を提案したことがあり、それは、複数の清潔豆を螺旋式にキャリア表面に配列させる螺旋式清潔ユニットであり、水平掃除する時、粒子を、一方から、もう一方へ押し出すことができ、従来の行列式清潔構造より、より有効な清潔効率が得られるが、上記構造の螺旋式清潔ユニットは、一方向螺旋式であり、よごれを単一の水平指向性的に排出するため、その平行方向の水流は、一つの流場散布しか形成できない。
【０００７】
本考案者は、上記欠点を解消するため、慎重に研究し、また、学理を活用して、水流散布を向上して、より有効的な清潔効率が得られ、設計が合理である本考案を提案する。
【先行技術文献】
【特許文献】
【０００８】
【特許文献１】中華民国専利第419401号
【特許文献２】中華民国専利第I286096号
【特許文献３】中華民国専利第M362051号
【特許文献４】中華民国専利第201347862号
【特許文献５】中華民国専利第M576921号
【考案の概要】
【考案が解決しようとする課題】
【０００９】
本考案の主な目的は、従来の技術にある上記らの問題を解消でき、キャリア表面に、複数の清潔豆をそれぞれ双方向の螺旋に配列させ、また、当該キャリア中心に、一様でない間隔で、ある基準線に沿って配列される双方向の螺旋式清潔ユニットがあり、回転する時、正方向と逆方向を有するため、この双方向螺旋式清潔ユニットは、複数の流場を形成でき、被掃除物体に対して、垂直方向だけでなく、横方向にも、中心から両端の外側へ押し出す水流の流場が形成されるため、従来の行列式清潔構造よりも、容易に、よごれを排出でき、また、一方向の螺旋式清潔構造よりも、水流散布が向上され、これにより、接触面が大きくなり、清潔効率がよく、よごれの除去率が高くなる効果が、得られる清潔ブラシ構造を提供する。
【課題を解決するための手段】
【００１０】
本考案は、上記らの目的を達成するための清潔ブラシ構造であり、円柱状で、その中央に受け口があり、当該受け口によって、駆動装置が組み立てられるキャリアを有し、双方向螺旋式清潔ユニットが、複数の清潔豆をそれぞれ双方向螺旋式に当該キャリアの表面に配列することによって形成され、当該キャリアの中心に位置する清潔豆が、一様でない間隔で、ある基準線に沿って配列され、これにより、複数の当該キャリアの中心から両端の外側へ、異なる方向の螺旋を有する双方向螺旋が形成され、当該らの清潔豆により、当該キャリアを囲んで中心から両端の外側へ向かって伸びる二つのリング状螺旋曲線通路が形成され、当該駆動装置に連動される当該キャリアにより、当該清潔豆で、電子部品を清潔する時、当該キャリアに付着した液体や清潔剤が、当該リング状螺旋曲線通路にある複数の螺旋接線方向へ排出できる。
【００１１】
本考案の上記実施例によれば、当該清潔豆の端面に、それぞれ、中心が下へ凹む凹円弧部があり、当該凹円弧部の曲度が、70%〜99%の範囲内にある。
【００１２】
本考案の上記実施例によれば、当該キャリアと当該双方向螺旋式清潔ユニットは、軟質フォームで、発泡して一体成型される。
【００１３】
本考案の上記実施例によれば、当該清潔豆は、円柱体である。
【００１４】
本考案の上記実施例によれば、当該清潔豆は、多辺体である。
【００１５】
本考案の上記実施例によれば、当該清潔豆は、円柱体や多辺体である。
【００１６】
本考案の上記実施例によれば、当該キャリアは、円柱状であり、その中央に、受け口があり、当該双方向螺旋式清潔ユニットが、当該キャリアの外側縁に配置される。
【００１７】
本考案の上記実施例によれば、当該清潔豆は、当該キャリアの表面から外へ、所定の距離に突出する。
【００１８】
本考案の上記実施例によれば、当該基準線は、一つの直線であり、また、当該キャリアの軸方向が、当該基準線に垂直する。
【００１９】
以下、図面を参照しながら、本考案の特徴や技術内容について、詳しく説明するが、それらの図面等は、参考や説明のためであり、本考案は、それによって制限されることが無い。
【図面の簡単な説明】
【００２０】
【図１】本考案に係る清潔ブラシ構造の立体概念図である。
【図２】本考案に係る清潔ブラシ構造の使用状態概念図である。
【考案を実施するための形態】
【００２１】
図１と図２は、それぞれ、本考案に係る清潔ブラシ構造の立体概念図と、本考案に係る清潔ブラシ構造の使用状態概念図である。図のように、本考案に係る清潔ブラシ構造１００は、少なくとも、キャリア１と双方向螺旋式清潔ユニット２から構成され、当該キャリア１と当該双方向螺旋式清潔ユニット２は、必要に応じて、複合材料やスポンジ、プルトニウム（PU）、ポリビニルアルコール（PVA）或いは高分子材料等の軟質フォームで発泡して一体成型されるものである。
【００２２】
上記のキャリア１は、円柱状であり、その中央に、受け口１１があり、当該受け口に、駆動装置（図に未表示）が組み立てられる。
【００２３】
当該双方向螺旋式清潔ユニット２は、当該キャリア１の外側縁に配置され、複数の清潔豆２１が、それぞれ、双方向螺旋に、当該キャリア１の表面に配列され、当該キャリア１の中心に位置する清潔豆２１が、一様でない間隔で、ある基準線１０１に沿って配列され、当該基準線１０１が、一つの直線であり、また、当該キャリア１の軸方向が、当該基準線１０１に垂直し、これにより、当該らの清潔豆２１が、複数の、当該キャリア１の中心から両端の外側へ、異なる方向の双方向螺旋が形成され、当該らの清潔豆２１が、当該キャリア１の表面から、外へ所定の距離に突出することにより、当該キャリア１を囲んで中心から両端の外側へ延びる二つのリング状螺旋曲線通路２２、２３が形成され、また、当該清潔豆２１の端面に、それぞれ、中心が下へ凹む凹円弧部２４があり、そして、当該凹円弧部２４の曲度が、70%〜99%の範囲内にあり、その中、当該清潔豆２１が、円柱体や多辺体或いはその組み合わせである。上記の構造により、新規の清潔ブラシ構造が構成される。
【００２４】
本考案によれば、一つや多数のキャリア１は、その受け口１１によって、駆動装置（図に未表示）が組み立てられ、当該駆動装置は、転がり運動によって、当該キャリア１が連動されて、必要とする清潔状態や位置に基づいて、当該駆動装置を移動させ、キャリア１の外側縁にある双方向螺旋式清潔ユニット２の各清潔豆２１を、精密電子部品３の表面に接触させて、必要とする清潔を行う。その一つのより良い実施例によれば、図２のように、掃除運動する時、精密電子部品３（例えば、ウエハ）は、元の位置に、時計回りや反時計回転の方向へ回転すると、双方向螺旋式清潔ユニット２を有する円柱状キャリア１も回転し、異なる方向の双方向螺旋形の双方向螺旋式清潔ユニット２によって、よごれ（例えば、粒子）が、当該キャリア１を囲んで、中心から両端の外側へ延びる複数の清潔豆２１が形成した二つのリング状螺旋曲線通路２２、２３を経由して、キャリア１の中心から両端の外側へ押し出し（図２の水平太い黒矢印のよう）、これにより、よごれが、指向性的に中心から外へ押し出され、より有効的な清潔効率が得られ、また、当該キャリア１に付着した液体や清潔剤も、当該リング状螺旋曲線通路２２、２３の複数の螺旋接線の方向に沿って排出され（図２の傾斜太い黒矢印のよう）、水流散布が向上されて、大幅に、清潔ブラシ構造１００と電子部品３との間に滞在する粒子が低減され、また、各清潔豆２１の端面にある凹円弧部２４の曲度が、70%〜99%の範囲内にあるため、各清潔豆２１の接触面が大きくなり、清潔効率がよく、よごれの除去率が高くなる効果が、得られる。
【００２５】
以上のように、本考案に係る清潔ブラシ構造は、有効的に、従来の諸欠点を解消でき、それぞれ、双方向螺旋式に、キャリアの表面に配列された複数の清潔豆と、一様でない間隔に、ある基準線に沿って当該キャリアの中心に配列された双方向螺旋式清潔ユニットとを利用して、回転する時、正方向と反方向を有し、この双方向螺旋式清潔ユニットは、複数の流場を形成でき、被掃除物体に対して、垂直方向だけでなく、横方向にも、中心から両端の外側へ押し出す水流の流場が形成されるため、従来の行列式清潔構造よりも、容易に、よごれを排出でき、また、一方向の螺旋式清潔構造よりも、水流散布が向上され、これにより、接触面が大きくなり、清潔効率がよく、よごれの除去率が高くなる効果が、得られ、また、一方向螺旋式清潔構造よりも、水流散布が向上され、そのため、本考案は、より進歩的かつより実用的で、法に従って実用新案登録願を出願する。
【００２６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２７】
１      キャリア
１１    受け口
１００  清潔ブラシ構造
１０１  基準線
２      双方向螺旋式清潔ユニット
２１    清潔豆
２２、２３  リング状螺旋曲線通路
２４    凹円弧部
３      電子部品
【図１】
0003225191.tif 000003
【図２】
0003225191.tif 000004
【手続補正書】
【提出日】令和1年12月9日(2019.12.9)
【手続補正１】
【補正対象書類名】実用新案登録請求の範囲
【補正対象項目名】全文
【補正方法】変更
【補正の内容】
【実用新案登録請求の範囲】
【請求項１】
円柱状で、中央に、駆動装置が組み立てられる受け口があるキャリアと、
複数の清潔豆がそれぞれ、双方向螺旋に当該キャリアの表面に配列され、当該キャリアの中心に位置する清潔豆が、一様でない間隔で、ある基準線に沿って配列されて、複数の当該キャリアの中心から両端の外側へ、異なる方向に螺旋する双方向螺旋が形成され、当該清潔豆が、当該キャリアを囲んで中心から両端の外側へ延びる二つのリング状螺旋曲線通路が形成される双方向螺旋式清潔ユニットと、が含まれ、
当該駆動装置によって、当該キャリアが連動されて、当該清潔豆で、電子部品を清潔する時、当該キャリアに付着した液体や清潔剤が、当該リング状螺旋曲線通路の複数の螺旋接線の方向に排出される、
ことを特徴とする清潔ブラシ構造。
【請求項２】
請求項１に記載される清潔ブラシ構造において、
当該清潔豆の端面には、それぞれ、中心へ凹む凹円弧部がある
ことを特徴とする清潔ブラシ構造。
【請求項３】
請求項１に記載される清潔ブラシ構造において、
当該キャリアと、当該双方向螺旋式清潔ユニットは、軟質フォームで、発泡して一体成型される、
ことを特徴とする清潔ブラシ構造。
【請求項４】
請求項１に記載される清潔ブラシ構造において、
当該清潔豆は、円柱体である、
ことを特徴とする清潔ブラシ構造。
【請求項５】
請求項１に記載される清潔ブラシ構造において、
当該清潔豆は、多辺体である、
ことを特徴とする清潔ブラシ構造。
【請求項６】
請求項１に記載される清潔ブラシ構造において、
当該清潔豆は、円柱体や多辺体である、
ことを特徴とする清潔ブラシ構造。
【請求項７】
請求項１に記載される清潔ブラシ構造において、
当該キャリアは、円柱状であり、その中央に、受け口があり、当該双方向螺旋式清潔ユニットが、当該キャリアの外側縁に配置される、
ことを特徴とする清潔ブラシ構造。
【請求項８】
請求項１に記載される清潔ブラシ構造において、
当該清潔豆は、当該キャリアの表面から外へ、所定の距離に突出する、
ことを特徴とする清潔ブラシ構造。
【請求項９】
請求項１に記載される清潔ブラシ構造において、
当該基準線は、一つの直線であり、また、当該キャリアの軸方向が、当該基準線に垂直する、
ことを特徴とする清潔ブラシ構造。